(57)【要約】  コントロールペダルを取り付けるためのコネクタ、該コネクタの使用、及び、該コネクタを備えた調節可能なペダルを固定するためのユニットに関する。  電気機器のためのコントロールペダルのためのコネクタは、コントロールペダルへの少なくとも１つの接続孔とペダルボードへの少なくとも１つの接続孔とを有する少なくとも１つのプレートを備え、ペダルボードへの接続孔は長孔とされている。
2019502150.tif 000002
【特許請求の範囲】
【請求項１】
電気機器のためのコントロールペダルをペダルボード支持体に取り付けるためのコネクタであり、前記コントロールペダルへの少なくとも一つの接続孔及び前記ペダルボード支持体への少なくとも一つの接続孔を有する少なくとも一つのプレートを備えてなるコネクタにおいて、前記ペダルボード支持体への前記接続孔が長孔とされていることを特徴とするコネクタ。
【請求項２】
請求項１記載のコネクタにおいて、前記プレートは平坦であることを特徴とするコネクタ。
【請求項３】
請求項１又は２記載のコネクタにおいて、２つのプレートを備え、各プレートが、前記コントロールペダルへの少なくとも一つの接続孔と、前記ペダルボード支持体への細長い接続孔とを有することを特徴とするコネクタ。
【請求項４】
請求項１ないし３の何れか一項記載のコネクタにおいて、前記コントロールペダルへの前記接続孔が長孔であることを特徴とするコネクタ。
【請求項５】
請求項１ないし４の何れか一項記載のコネクタにおいて、前記プレートが前記コントロールペダルのベースを受け入れるのための領域を備えていることを特徴とするコネクタ。
【請求項６】
請求項５記載のコネクタにおいて、前記プレートが、ペダル特性に関するチャート及び指示が見えるようにする窓を備えていることを特徴とするコネクタ。
【請求項７】
請求項１ないし６の何れか一項記載のコネクタにおいて、該コネクタの対向した端部に位置した２つの突出部を備え、各突出部が、前記ペダルボード支持体への接続のために上記のタイプの長孔を有することを特徴とするコネクタ。
【請求項８】
請求項５ないし７の何れか一項記載のコネクタにおいて、前記コントロールペダルを受け入れるための領域は長方形又は正方形とされ、かつその四角形をした領域の各コーナーに、前記コントロールペダルへの接続孔を有していることを特徴とするコネクタ。
【請求項９】
電気機器のためのコントロールペダルをペダルボード支持体に取り付けるための、請求項１ないし８の何れか一項記載のコネクタの使用。
【請求項１０】
請求項９記載の使用において、前記ペダルボード支持体が、複数の平行な溝が上面に設けられたボードを備え、コネクタが前記溝の少なくとも一つに取り付けられることを特徴とする使用。
【請求項１１】
電気機器のためのコントロールペダルをペダルボード支持体に取り付けるためのユニットであって、
ペダルボード支持体と、
少なくとも一つの、請求項１ないし８の何れか一項に記載のコネクタと、
を備えてなるユニット。
【請求項１２】
請求項１１記載のユニットにおいて、前記ペダルボード支持体が、ペダル取付け部材を受け入れるための複数の平行な溝が上面に設けられたボードを備えることを特徴とするユニット。
【請求項１３】
電気機器のためのコントロールペダルユニットであって、
下部ベースを有した外ケーシングと、前記下部ベースに配置された該外ケーシングを閉じるためのネジを受け入れるための少なくとも一つの孔を備えたペダルと、
請求項１ないし８の何れか一項記載のコネクタであって、前記ネジを受け入れる前記孔と前記コントロールペダルへの前記接続孔とが一致したときに前記ペダルボードへの細長い前記接続孔が前記ペダルの本体から突出するように、前記コントロールペダルへの前記コネクタの前記接続孔が前記ネジを受け入れる前記孔に対応しているコネクタと、
を備えてなるコントロールペダルユニット。
【請求項１４】
請求項１３記載のコントロールペダルユニットにおいて、前記ネジが、前記ネジを受け入れるための孔及び前記ペダルへの前記接続孔を同時に通過し、前記ペダルボード支持体が前記ペダルに取り付けられてなるコントロールペダルユニット。
【請求項１５】
請求項１３又は１４記載のコントロールペダルユニットにおいて、前記長孔が前記ペダルの側部から突出し、該側部と並行に配置されていることを特徴とするコントロールペダルユニット。
【発明の詳細な説明】
【技術分野】
【０００１】
本発明は、いくつかのコントロールペダルをペダルボード支持体に取り付けるためのコネクタ、コントロールペダルをペダルボード支持体に取り付けるためのコネクタの使用、該コネクタを備えるペダルを取り付けるためのユニット又はキット、及び、該コネクタを備える調節可能なペダル取付けユニット、に関する。本発明によるコネクタはまた、一般にアダプタとしても知られている。
【背景技術】
【０００２】
コントロールペダルは、いわゆる電気楽器または電気機器を制御または調節するために使用される。これらのペダルは、手または足で操作することができる。
【０００３】
ペダルは、通常、ペダルボードとも称されるペダルボード支持体上に配置される。
【０００４】
特許文献１および特許文献２には、その上面に複数の平行な溝が設けられたボード備えたペダルボード支持体が開示されている。これらペダル又はコントロール装置のためのコネクタは、それらの溝に沿って結合される。これらのペダル又はコントロール装置は、次に、２つのコネクタによって固定または取り付けされる。
【０００５】
特許文献３は、各溝に前記支持体を取り付けるための単一の長孔を有する９０°折り畳まれた金属シートを備えたコネクタを開示している。支持体に対して垂直に折り曲げられた金属シートの部分は、接続すべきペダルの側壁と接触する。ペダルを接続するために少なくとも２つのコネクタが必要であり、ペダルがスライドする危険性がある。
【０００６】
特許文献４には、２つの円孔、すなわち支持部をペダルボードに取り付けるための円孔と、ペダルの側壁に取り付けるための吸着パッドを受け入れるための円孔とを備えて９０°折り曲げられた金属シートからなるコネクタが開示されている。前記コネクタは、ペダルがスライドする上記の問題を克服するが、特に、ペダルの位置を僅かに修正するために前記ペダルを再配置する必要がある場合、ペダルの位置決めをかなり困難にする。
【先行技術文献】
【特許文献】
【０００７】
【特許文献１】国際公開第 ２０１４/１１４８３３ 号公報
【特許文献２】国際公開第 ２０１５/１９３５２６ 号公報
【特許文献３】国際公開第 ２０１４/１１４８３３ 号公報
【特許文献４】国際公開第 ２０１５/１９３５２６ 号公報
【発明の概要】
【発明が解決しようとする課題】
【０００８】
本発明の目的は、上述の従来技術の問題点を克服する支持体を開示することであり、ペダルを上述したタイプのペダルボードに取り付けるための、信頼性があり、装着容易で、かつ多用途であり、しかも異なるタイプのコンポーネントに対して有効である手段を開示することである。
【課題を解決するための手段】
【０００９】
より詳細には、本発明は、電気機器用のコントロールペダルをペダルボード支持体に接続するためのコネクタであって、コントロールペダルへの少なくとも１つの接続孔とペダルボードへの少なくとも１つの接続孔とを有する好ましくは平坦なプレートを備えるコネクタにおいて、前記ペダルボードへの前記接続孔が長孔であることを特徴とする。
【００１０】
本発明は、相乗効果を有する要素の組み合わせに基づく。コントロールペダルへの接続孔は、該コネクタをペダルにネジ留めすることを可能とし、これにより滑りを防止する。長孔が前記ペダルへの前記接続孔と協働することで、前記ペダル及びペダルボードへの同時にてのネジ留めを可能とし、滑り防止を助ける。さらに、ペダルのための孔及びペダルボードの溝は互換性を有しかつ整列して配置される必要がある。さらに、長孔とネジ留めとの組み合わせにより、ペダルボード内のペダルの位置を、取り付け作業の全部を繰り返すことなく再調整することが可能になる。
【００１１】
好ましくは、プレートは、ペダルのベースを受け入れるための領域を備えている。
【００１２】
このように、ペダルを支持体上に固定することができ、ペダルへのコネクタの接続、並びに、それに続くペダル及びコネクタユニットのペダルボードへの接続といった２つの局面において組立を容易なものとする。
【００１３】
好ましくは、プレートは、ペダルの特性及び指示内容が見えるようにするためのディスプレイ窓を備える。
【００１４】
この特徴により、例えば、該ペダルは、予め取り付けられたコネクタと共に販売することも可能になる。
【００１５】
ペダルへの連結孔も長孔とすることも有利な点となり得る。
【００１６】
好ましくは、コネクタは、ペダルを受け入れるための領域から突出する２つの部分を含み、各部分は、コネクタの対向した端部に配置され、各突出部は、ペダルボード支持部に接続するための前記タイプの長孔を含む。
【００１７】
また、好ましくは、ペダルを受け入れる領域は、ほぼ長方形または正方形の領域を有し、該領域は、これら四角形の各コーナー部にペダルへの接続孔を含む。
【００１８】
本発明はまた、複数の異なる部分からなるコネクタを提供する。これにより、様々のペダルに広範囲に適用することができるので、本発明によるコネクタに大きな汎用性を与えることができる。
【００１９】
好ましい実施形態では、コネクタは、２つの前記プレートを備え、各プレートは、コントロールペダルに対する少なくとも１つの接続孔と、ペダルボードに対する少なくとも１つの細長い接続孔とを有する。
【００２０】
本発明はまた、電気機器のコントロールペダルをペダルボード支持体、好ましくは上面に複数の平行な溝を備えたペダルボード支持体に取り付けるための本発明によるコネクタの使用を含み、前記コネクタは、前記溝の少なくとも１つに取り付けられる。
【００２１】
多用途性を考慮すると、本発明によるコネクタは、異なる商用ユニットまたはキットの一部を形成することができる。特に、支持体は、ペダルボード支持体を含むユニットの一部を形成してもよいし、嵌合部品として又は嵌合可能なアクセサリーとしてペダルと一緒に販売されてもよい。
【００２２】
より詳細には、本発明は、
−  ペダルボード支持体、および
−  本発明による少なくとも１つのコネクタ
を備える、ペダル固定用ユニットも開示する。
【００２３】
好ましくは、ペダルボード支持体は、その上面に、ペダル取付部材を受け入れるための複数の平行な溝が設けられたボードを備える。
【００２４】
本発明はまた、調節可能なペダル取付けユニットを開示し、このペダル取付けユニットは、
−  下部ベースを有した外ケーシングを有し、該ケーシングを閉じるためのネジを受け入れるための少なくとも１つの孔が前記ベースに配置されたペダルと、
−  前記ネジを受け入れる前記孔とコントロールペダルへの接続孔とが一致したときに前記ペダルボードへの前記細長い接続孔が前記ペダルの本体から突出するように、前記コントロールペダルへの前記コネクタの前記接続孔が前記ネジを受け入れる前記孔に対応している本発明に係るコネクタと、
を備えることを特徴としている。
【００２５】
好ましくは、ネジは、該ネジを受け入れるための孔と前記ペダルへの接続孔とを同時に通過し、前記支持体が前記ペダルに取り付けられる。
【００２６】
より好ましくは、長孔は、前記孔が突出するペダルの側部と平行に配置される。
【００２７】
以下、本発明をさらに詳細に理解するために、本発明の非限定的な実施形態について添付の図面を参照して説明する。
【図面の簡単な説明】
【００２８】
【図１】本発明によるコネクタの第１実施形態の斜視図である。
【図２】第１実施形態のコネクタの平面図である。
【図３】第１実施形態のコネクタの下面図である。
【図４】本発明による第２実施形態のコネクタを備えたペダルを下方から見た斜視図である。
【図５】平行溝を有するペダルボード支持体に第２実施形態のペダル及びコネクタユニットを取り付ける工程を説明する斜視図である。
【図６】本発明によるコネクタの第３実施形態の斜視図である。
【図７】図６に示した第３実施形態のコネクタの上面図である。
【図８】図７の VIII-VIII 線に沿った断面図である。
【図９】ペダルを下方から見た斜視図である。
【図１０】図９に示したペダルに第４実施形態のコネクタが取り付けられた状態を示す斜視図である。
【図１１】図１０に示したペダル及びコネクタユニットの上方からの斜視図である。
【図１２】本発明によるコネクタの第５実施形態を示す斜視図である。
【図１３】本発明の第６実施形態のコネクタが取り付けられたペダルを下方から見た斜視図である。
【発明を実施するための形態】
【００２９】
図１ないし図３は、本発明によるコネクタの第１実施形態を示す。
【００３０】
示されるコネクタは、実質的に平らなプレート１で構成され、２つの組に区別化された複数の孔を有する。本実施形態では、それぞれの組における各孔は互いに整列している。第１の組は、ペダルに取り付けるためのネジを受けるための２つの長孔１２，１３を含む。第２の組は、ペダルボード支持体（以下、ペダルボードと称す）に取り付けるためのデバイスを受けるための２つの長孔１１，１４を含む。第２の組の長孔１１，１４は上面において座繰り１１１，１４１が形成されており、対して、第２の組の長孔１２，１３は背面において座繰り１２１，１３１が形成されている。この座繰り位置の違いは、ペダルへの取り付けのためのネジの配置方向と、ペダルボードへの支持体の取り付けのためのデバイスの方向の違いに対応したものである。
【００３１】
図４は、本発明によるコネクタの第２実施形態であり、既にペダル１００に取り付けられた状態で示す。この場合、コネクタは、互いに同一とされた２つのプレート１，１′を備える。この場合、各プレート１，１′は、ペダルボードに取り付けるためのデバイスを受けるための単一の長孔１１，１１′を有する。これら長孔１１，１１′は、ペダル１００の側面の全長に亘って延在しており、このため同じ孔１１，１１′を介して２つ以上の取付け機器を配置することが可能である。
【００３２】
図から分るように、各プレート１，１′はネジ１０１によってペダル１００に取り付けられている。従って、孔１２，１３は、ペダル１００のケーシングを閉じるためのネジの孔に一致するように配置されている。この構成では、各プレート１，１′がペダル１００から横方向に突出していることがわかる。ペダルボードに取り付けるための長孔１１，１１′は、その突出部に位置しており、かつこれらプレート１，１′が突出する各側壁に対して平行に配置されている。
【００３３】
図５は、図４に示したユニットを、上面に複数の平行な溝を有したペダルボード１０１に取り付けた状態を示す。前記ユニットは、取付けデバイス１０２によって、ペダルボード１０１に取り付けるための長孔１１を介して取り付けられる。
【００３４】
取付けデバイス１０２は、ボルトと、該ボルトを受け入れる雌型部材（図示せず）、例えば、ペダルボード１０１の溝の１つの中で摺動可能なナットと、で構成することができる。
【００３５】
前記雌型部材は、ネジ孔を有しかつ前記溝内での回転を制限する形状とされた部品のような、他の形態を取ることができる。
【００３６】
図６ないし図８は、本発明に係るコネクタの第３実施形態を示している。この場合、コネクタは、四角形主部を有するプレート１から成り、該四角形主部の各コーナーに、図示されていないペダルに取り付けるためのネジを受けるための孔１６を有する。前記主部は、該コネクタの両側に位置する突出部１１９，１５９を有する。各突出部は、ペダルボードに取り付けるための長孔１１，１５を有する。
【００３７】
各長孔１１，１５は、取り付けを容易にするために、窪んだ領域１５８，１１８内に配置されている。
【００３８】
図９及び図１０は、図８のコネクタを、ペダルのケーシングを閉じる複数のネジ１６５を用いてペダルに設ける工程を示す。
【００３９】
これを行うために、ケーシングを閉じる各ネジ１６５を外し、ケーシング及びコネクタの対応する孔同士が一致するようにコネクタを配置し、各ネジ１６５を再びねじ込み、このようにしてペダルとコネクタを互いに接続する。
【００４０】
図１１は、図６ないし図８に示すペダル及びコネクタユニットを、図９及び図１０のペダルに固定するように配置した状態を示す。
【００４１】
図から分かるように、前記主部はペダル１００のベースを受け入れる。この場合、前記主部はペダル１００の下部領域を完全にカバーする。
【００４２】
図１２は、本発明によるコネクタの第４実施形態を示す。この実施形態のものは第３実施形態に類似するが、その主部領域８に透視可能な手段を有する点で異なる。これは、前記領域８に透明材料を提供することによって、または穴を形成することによって達成される。
【００４３】
図１３は、ペダルおよびコネクタユニットを示す。コネクタは、図１２のものと同様であり、違いは窓または孔８のサイズである。この場合、該領域８は、窓８の下に配置されてペダル１００の特性を示すステッカーと一致する寸法の孔である。従って、例えば、警告又は各状況で必要とされる現在のアダプタのような使用にあたっての指示に対する視認性を失うことなく、該コネクタをペダル１００に取り付けることができる。これにより、例えば、ペダル１００のユニット及びアダプタの販売は容易になる。
【００４４】
したがって、本発明によるアダプタを別個に単独で、又はペダルボードに取り付けるために対応するデバイスと共に、販売することが可能である。また、ペダルボードを適切なアダプタとともに販売することも、あるいは、ペダルを、対応するアダプタを一緒に販売することもできる。アダプタの形態は状況によって異なる場合もある。ペダルへの取り付けのための孔及びペダルボードへの取付けのための孔は平行な各面に、より好ましくは同一面に配置されていることが好ましいが、前記プレートは平坦であっても、別の配置であってもよい。
【００４５】
また、本発明によるアダプタは、プラスチック材料、金属などの異なる材料により構成されてよい。
【００４６】
以上、本発明を、いくつかの実施形態を参照して説明したが、本発明はこれらの実施形態に限定されるものではなく、本明細書、特許請求の範囲および図面に開示された要旨が理解された後に当業者にとって自明とされる多くの構造的または他の詳細を変更することが可能である。したがって、本発明の技術的範囲は、以下の特許請求の範囲の最も広い範囲に含まれると考えられる如何なる変形又は等価物を含む。
【符号の説明】
【００４７】
１，１′  プレート
８  領域
１１，１２，１３，１４，１５  長孔
１６  孔
１００  ペダル
１０１  ペダルボード
１１９，１５９  突出部
１６５  ネジ
【図１】
2019502150.tif 000003
【図２】
2019502150.tif 000004
【図３】
2019502150.tif 000005
【図４】
2019502150.tif 000006
【図５】
2019502150.tif 000007
【図６】
2019502150.tif 000008
【図７】
2019502150.tif 000009
【図８】
2019502150.tif 000010
【図９】
2019502150.tif 000011
【図１０】
2019502150.tif 000012
【図１１】
2019502150.tif 000013
【図１２】
2019502150.tif 000014
【図１３】
2019502150.tif 000015
【国際調査報告】
2019502150.tif 000016
2019502150.tif 000017
2019502150.tif 000018
2019502150.tif 000019
2019502150.tif 000020
2019502150.tif 000021
2019502150.tif 000022
2019502150.tif 000023